(57)【要約】      （修正有）【課題】操作負担を軽減する。【解決手段】制御対象設備を監視する監視システムに設けられた監視制御装置であって、表示部に表示する画面の切り替え操作を受け付ける操作受付部と、受け付けた操作に従って表示された画面を識別する画面識別情報と表示された時刻とを対応付けて記憶する第１の記憶部と、制御対象設備の状況を示した状況情報を取得する取得部と、当該状況情報と取得した時刻とを対応付けて記憶する第２の記憶部と、第２の記憶部において取得部により取得された状況情報と対応付けられている時刻に基づいて、状況情報で示された状況が生じた時刻より後に表示された画面の画面識別情報と、当該画面識別情報で示される画面が表示された回数と、を第１の記憶部から抽出する抽出部と、抽出部に抽出された画面識別情報を、画面識別情報で示される画面が表示された回数に基づいて、画面の切り替え先として選択可能に表示する表示処理部と、を備える。【選択図】図２
2018088099.tif 000002
【特許請求の範囲】
【請求項１】
制御対象設備を監視する監視システムに設けられた監視制御装置であって、
表示部に表示する画面の切り替え操作を受け付ける操作受付部と、
前記操作受付部が受け付けた前記操作に従って表示された前記画面を識別する画面識別情報と、当該画面が表示された時刻と、を対応付けて記憶する第１の記憶部と、
前記制御対象設備を制御する制御装置から、前記制御対象設備の状況を示した状況情報を取得する取得部と、
前記取得部が取得した前記状況情報と、当該状況情報を取得した時刻と、を対応付けて記憶する第２の記憶部と、
前記第２の記憶部において前記取得部により取得された前記状況情報と対応付けられている前記時刻に基づいて、前記状況情報で示された状況が生じた時刻より後に表示された画面の前記画面識別情報と、当該画面識別情報で示される画面が表示された回数と、を前記第１の記憶部から抽出する抽出部と、
前記抽出部に抽出された前記画面識別情報を、前記画面識別情報で示される画面が表示された回数に基づいて、画面の切り替え先として選択可能に表示する表示処理部と、
を備える監視制御装置。
【請求項２】
前記抽出部は、過去に、前記表示部に表示されている前記画面の次に表示された画面を識別する画面識別情報を、当該次に表示された回数と共に、前記第１の記憶部から抽出し、
前記表示処理部は、前記抽出部に抽出された前記画面識別情報を、当該次に表示された回数に基づいて、画面の切り替え先として選択可能に表示する、
請求項１に記載の監視制御装置。
【請求項３】
前記表示処理部は、さらに、前記画面識別情報のうち、次の画面に遷移するための中間操作の画面以外を示した画面識別情報を、画面の切り替え先として選択可能に表示する、
請求項１又は２に記載の監視制御装置。
【発明の詳細な説明】
【技術分野】
【０００１】
本発明の実施形態は、監視制御装置に関する。
【背景技術】
【０００２】
従来から、監視・制御システムのＨＭＩ（ヒューマン・マシン・インターフェース）は、監視対象の装置・機器の状態や、制御対象であるプロセスの状態を表示する表示機能と、キーボード、マウス又はタッチパネルといった入力機能と、で構成されている。オペレータは、当該ＨＭＩを用いて、監視対象の装置・機器の運転監視を行うことができるが、複数の監視対象の監視を行うために、監視画面の切り替えが必要となる。
【０００３】
定常運転時には、予め定められた操作手順に基づいて、運転状況に従って監視・操作すればよいが、プラントのスタートアップ、シャットダウン、故障や事故が生じた場合の非定常運転時に、オペレータが適切な監視・操作を行うためには、今までの経験が必要となる状況も少なくない。しかしながら、省人化の傾向に伴って、経験やノウハウを有する人材が不足していく傾向にある。
【０００４】
そこで、近年、熟練オペレータの経験やノウハウを有効活用する技術が提案されている。例えば、オペレータが行った操作をマクロ等に登録する技術が提案されている。
【先行技術文献】
【特許文献】
【０００５】
【特許文献１】特開２００１−９２５２４号公報
【発明の概要】
【発明が解決しようとする課題】
【０００６】
しかしながら、従来技術においては、熟練オペレータが経験やノウハウに基づいて、マクロの登録や、運転操作ガイダンスを作成する必要があるため、負担が生じる。また、マクロ等に登録していない状況が生じた場合には、経験やノウハウを有効活用できないという問題が生じる。
【０００７】
そこで、監視制御装置においては、熟練者が経験やノウハウに基づいたマクロの登録や、運転操作ガイダンスの作成を行わずとも、経験やノウハウに基づいた監視又は操作支援を行うことで負荷を軽減することを目的とする。
【課題を解決するための手段】
【０００８】
実施形態の監視制御装置は、例えば、制御対象設備を監視する監視システムに設けられた監視制御装置であって、表示部に表示する画面の切り替え操作を受け付ける操作受付部と、操作受付部が受け付けた操作に従って表示された画面を識別する画面識別情報と、当該画面が表示された時刻と、を対応付けて記憶する第１の記憶部と、制御対象設備を制御する制御装置から、制御対象設備の状況を示した状況情報を取得する取得部と、取得部が取得した状況情報と、当該状況情報を取得した時刻と、を対応付けて記憶する第２の記憶部と、第２の記憶部において取得部により取得された状況情報と対応付けられている時刻に基づいて、状況情報で示された状況が生じた時刻より後に表示された画面の画面識別情報と、当該画面識別情報で示される画面が表示された回数と、を第１の記憶部から抽出する抽出部と、抽出部に抽出された画面識別情報を、画面識別情報で示される画面が表示された回数に基づいて、画面の切り替え先として選択可能に表示する表示処理部と、を備える。
【発明の効果】
【０００９】
実施形態の監視制御装置によれば、過去に行われた画面の切り替えを蓄積し、当該蓄積された画面の切り替えに基づいて、制御対象設備の状況に応じた、画面切り替え先を選択可能に表示することで、画面を表示するための操作負担を軽減できる。
【図面の簡単な説明】
【００１０】
【図１】図１は、第１の実施形態の監視制御システムの構成例を示した図である。
【図２】図２は、第１の実施形態の監視制御装置の構成を例示した図である。
【図３】図３は、第１の実施形態の動作・警報履歴データベースのテーブル構造を例示した図である。
【図４】図４は、第１の実施形態の表示画面履歴データベースのテーブル構造を例示した図である。
【図５】図５は、第１の実施形態の表示処理部により表示された画面の一例を示した図である。
【図６】図６は、第１の実施形態の表示処理部により表示された画面の一例を示した図である。
【図７】図７は、第１の実施形態の監視制御装置における画面の切り替え処理の手順を示すフローチャートである。
【図８】図８は、第１の実施形態の監視制御装置における、監視・制御対象設備で状況の変化が生じた場合における、画面識別情報の候補の表示処理の手順を示すフローチャートである。
【図９】図９は、第２の実施形態の監視制御装置が表示可能な画面の遷移を例示した図である。
【図１０】図１０は、第２の実施形態の監視制御装置における、監視・制御対象設備で状況の変化が生じた場合における、画面識別情報の候補の表示処理の手順を示すフローチャートである。
【発明を実施するための形態】
【００１１】
以下、本発明の例示的な実施形態が開示される。以下に示される実施形態の構成（技術的特徴）、ならびに当該構成によってもたらされる作用および結果（効果）は、一例である。また、以下に例示される複数の実施形態には、同様の構成要素が含まれている。よって、以下では、同様の構成要素には共通の符号が付与され、重複する説明が省略される。
【００１２】
（第１の実施形態）
図１は、第１の実施形態の監視制御システムの構成例を示した図である。図１に示されるように、第１の実施形態の監視制御システムは、監視・制御対象設備１５０と、コントローラ１５１と、監視制御装置１００と、で構成されている。なお、本実施形態は、監視制御システムの一例を示したものであって、例えば、これら複数の装置を組み合わせて一つの装置としても良い。
【００１３】
監視・制御対象設備１５０は、プラント内で監視・制御対象となる設備とする。
【００１４】
コントローラ１５１は、監視・制御対象設備１５０との間で通信を行うと共に、当該通信結果に基づいて監視・制御対象設備１５０の制御を行う。
【００１５】
監視制御装置１００は、ディスプレイ装置１０１と、入力デバイス１０２と、を備え、コントローラ１５１から送信される監視・制御対象設備１５０に関する情報に基づいて、監視・制御対象設備１５０を含むプラントの運転を監視する装置とする。監視制御装置１００は、ディスプレイ装置１０１を複数接続することでマルチディスプレイを実現し、複数の画面の同時表示が可能となる。
【００１６】
しかしながら、従来、プラント全体の広範囲の状況監視を行う都合上、オペレータは、入力デバイスから、メニュー画面やグループ画面から複数回の画面切り替えを行うことで、監視・操作に必要な目的画面（例えば、プロセスフロー画面やポイント画面）まで展開する操作を行う必要があった。換言すれば、オペレータは、監視・制御対象設備１５０の現在の運転状況に応じた目的画面まで、切り替え操作を行う必要があった。これに対して、本実施形態においては、現在の運転状況に応じた画面に容易に切り替える手法を提案する。
【００１７】
なお、メニュー画面、及びグループ画面は、目的画面を表示するまでに表示される画面であって、画面を切り替えるためのボタン等が配置された中間操作の画面とする。プロセスフロー画面やポイント画面は、プラント内の監視・制御対象設備１５０を監視するための画面とする。
【００１８】
ディスプレイ装置１０１は、監視制御装置１００から出力される画面情報を表示する装置とする。入力デバイス１０２は、ディスプレイ装置１０１に表示された画面に対応する操作を行うためのデバイスとする。
【００１９】
図２は、第１の実施形態の監視制御装置１００の構成を例示した図である。図２に示されるように、監視制御装置１００は、動作・警報履歴データベース２５１と、画面情報記憶部２５２と、表示画面履歴データベース２５３と、を記憶部に記憶している。
【００２０】
さらに、監視制御装置１００は、記憶部に記憶されたプログラムを実行することで各種機能を実現する。本実施形態の監視制御装置１００は、取得部２０１と、過去時刻抽出部２０２と、動作・警報蓄積部２０３と、操作受付部２０４と、候補画面抽出部２０５と、判定部２０６と、表示処理部２０７と、切替画面蓄積部２０８と、を備える。
【００２１】
取得部２０１は、コントローラ１５１から出力された監視・制御対象設備１５０に関する状況情報を取得する。状況情報は、監視・制御対象設備１５０の現在の状況を示した情報であって、例えば、監視・制御対象設備１５０に関する警報（より詳細な例としては、流量が所定のレベルを超えた場合の警報）・ガイダンス等、監視・制御対象設備１５０が行った動作（より詳細な例としては、ポンプのＯＮ／ＯＦＦ）、及び監視・制御対象設備１５０に対して行われた操作を示す情報が含まれる。
【００２２】
動作・警報蓄積部２０３は、取得部２０１が取得した、監視・制御対象設備１５０に関する状況情報を、取得部２０１が当該状況情報を取得した時刻と対応付けて、動作・警報履歴データベース２５１に蓄積する。
【００２３】
動作・警報履歴データベース２５１は、監視・制御対象設備１５０に関する状況情報と、取得部２０１が当該状況情報を取得した時刻（換言すれば、状況情報で示された状況が生じた時刻）と、を対応付けて記憶する。図３は、第１の実施形態の動作・警報履歴データベース２５１のテーブル構造を例示した図である。図３に示されるように、取得部２０１がコントローラ１５１から取得した状況情報と、当該状況情報を取得した時刻と、を対応付けて記憶している。例えば、動作・警報履歴データベース２５１を参照することで、監視・制御対象設備１５０の所定の状況が生じた（操作・動作も含む）過去の時刻を抽出できる。
【００２４】
過去時刻抽出部２０２は、取得部２０１が取得した状況情報と対応付けられている過去の時刻を、動作・警報履歴データベース２５１から抽出する。過去時刻抽出部２０２は、当該状況情報と対応付けられている過去の時刻が複数存在する場合、全ての過去の時刻を抽出する。そして、過去時刻抽出部２０２は、抽出した過去の時刻情報を候補画面抽出部２０５に出力する。
【００２５】
操作受付部２０４は、入力デバイス１０２を介して行われた操作を受け付ける。例えば、操作受付部２０４は、ディスプレイ装置１０１に表示する画面の切り替え操作を受け付ける。
【００２６】
表示処理部２０７は、画面等の様々な情報を、ディスプレイ装置１０１に表示する処理を行う。例えば、表示処理部２０７は、操作受付部２０４が受け付けた操作に対応する画面情報を画面情報記憶部２５２から読み出し、ディスプレイ装置１０１に画面を表示する。なお、画面情報記憶部２５２は、画面識別情報で識別される各画面の表示態様を表した画面情報を記憶している。
【００２７】
他の例としては、表示処理部２０７は、取得部２０１が、コントローラ１５１から出力された監視・制御対象設備１５０に関する状況情報を取得した場合に、当該状況情報に対応する画面情報を読み出し、当該画面情報をディスプレイ装置１０１に表示する。
【００２８】
切替画面蓄積部２０８は、表示処理部２０７により表示された画面を識別する画面識別情報を、当該画面が表示された（現在の）時刻と対応付けて、表示画面履歴データベース２５３に蓄積する。
【００２９】
例えば、本実施形態の切替画面蓄積部２０８は、オペレータにより画面の切り替え操作が行われる毎に、当該操作で表示された画面を識別する画面識別情報を、操作が行われた時刻と対応付けて、表示画面履歴データベース２５３に蓄積していく。
【００３０】
図４は、第１の実施形態の表示画面履歴データベース２５３のテーブル構造を例示した図である。図４に示されるように、表示画面履歴データベース２５３は、ディスプレイ装置１０１に表示された画面を識別する画面識別情報を、当該画面が表示された時刻と、対応付けて記憶している。例えば、表示画面履歴データベース２５３を参照することで、任意の時刻に表示されていた画面を抽出できる。さらに、表示画面履歴データベース２５３は、時刻と画面識別情報とを対応付けて記憶することで、時系列的に表示された画面を蓄積しているともみなせる。つまり、任意の画面の次に、どのような画面が表示されたのかを抽出することができる。本実施形態では画面識別情報が、画面の名称の場合について説明するが、画面を識別できる情報であれば良い。
【００３１】
本実施形態の表示画面履歴データベース２５３は、オペレータが行った操作や手順に従って表示された画面情報を蓄積していくデータベースとなる。換言すれば、表示画面履歴データベース２５３は、様々な状況が生じた際に、当該状況に対応するために表示された画面情報が蓄積していくことになる。このようにして、本実施形態は、オペレータの経験やノウハウを蓄積していくことができる。
【００３２】
本実施形態においては、動作・警報履歴データベース２５１が時刻と対応付けて過去に生じた状況を管理し、表示画面履歴データベース２５３が時刻と対応付けて過去に行われた画面の切り替えを管理している。そして、動作・警報履歴データベース２５１及び表示画面履歴データベース２５３を組み合わせることで、過去の状況で行われた操作を時系列的に認識できる。
【００３３】
本実施形態の監視制御システムは、表示画面履歴データベース２５３に蓄積されたオペレータの経験やノウハウを、次に表示する画面の候補を表示するために利用する。例えば、取得部２０１が、監視・制御対象設備１５０に関する状況情報（例えば、監視・制御対象設備１５０が行った動作や警報）を取得した場合に、当該状況情報を過去に取得した際に表示された画面を示す画面識別情報を、次に表示する画面の候補として提示する。
【００３４】
候補画面抽出部２０５は、過去時刻抽出部２０２により過去の時刻が抽出された場合に、過去時刻抽出部２０２から入力された過去の時刻に基づいて、当該過去の時刻より後に表示された画面を示す画面識別情報を、表示画面履歴データベース２５３から抽出する。これにより、現在と同じ状況が生じた過去に表示された画面を認識できる。
【００３５】
さらに、候補画面抽出部２０５は、抽出された画面識別情報毎に、当該状況が生じた場合に表示された回数を、表示画面履歴データベース２５３から抽出する。当該状況が生じた場合に表示された回数とは、当該状況が生じた後の所定の時間帯に表示された回数とする。なお、所定の時間帯は、実施態様に応じて設定されるものとして、説明を省略する。
【００３６】
また、候補画面抽出部２０５は、取得部２０１が状況情報を取得せず、操作受付部２０４が画面の切り替え操作を受け付けた場合に、表示画面履歴データベース２５３を参照して、現在画面の次の画面切り替え先の候補となる、画面識別情報を抽出する。さらに、候補画面抽出部２０５は、抽出された画面識別情報毎に、次の画面として表示された回数を、表示画面履歴データベース２５３から抽出する。これにより、次の画面切り替え先の候補をオペレータに提示できる。
【００３７】
判定部２０６は、候補画面抽出部２０５により抽出された画面識別情報毎に、表示された回数に基づいて、当該画面識別情報を、画面切り替え先の候補として表示するか否かを判定する。本実施形態の判定部２０６は、表示された回数が多い順に所定の数の画面識別情報を、画面切り替え先の候補として特定する。
【００３８】
そして、表示処理部２０７は、ディスプレイ装置１０１の表示領域内の所定の欄に、判定部２０６によって特定された画面切り替え先の候補として、画面識別情報（例えば画面の名称）を選択可能に表示する。
【００３９】
図５は、第１の実施形態の表示処理部２０７により表示された画面の一例を示した図である。図５に示される例では、表示領域５０１に、取得部２０１が取得した状況情報に対応する状況を表した警告画面５０２が表示されると共に、下欄５０３に、画面切り替え先の候補が表されている。下欄５０３に表示された画面切り替え先の候補は、過去に、警告画面５０２の後の所定の時間帯に表示された画面識別情報である。このため、オペレータは、過去のノウハウを生かして、どの画面に切り替えれば良いのか判断できる。
【００４０】
さらには、表示処理部２０７は、取得部２０１が状況情報を取得していない場合に、操作受付部２０４が画面を切り替える操作を受け付ける毎に、現在画面の次の画面として表示された回数に基づいて、現在画面の次の画面切り替え先の候補を表示しても良い。
【００４１】
図６は、第１の実施形態の表示処理部２０７により表示された画面の一例を示した図である。図６に示される例では、操作受付部２０４が受け付けた画面の切り替え操作に従って、第２のグループ画面６０１が表示されると共に、下欄６０２に、画面切り替え先の候補が表されている。図６に示される例では、オペレータが、画面を切り替える毎に、現在画面の次に表示する画面情報の候補を提示することで、操作負担を軽減することができる。
【００４２】
図５に示される例では、状況に対応した画面切り替え先の候補を表示した例で、図６に示される例では、オペレータの操作で画面が切り替えられた場合に、現在画面の次の画面切り替え先の候補を表示した例を示したものである。本実施形態では、状況に対応した画面切り替え先の候補と、現在画面の次の画面切り替え先候補と、を組み合わせて表示しても良い。例えば、表示処理部２０７は、状況に対応した画面切り替え先の候補と、現在画面の次の画面切り替え先候補と、のうちいずれか一つ以上を表示された回数が多い順に表示する、等が考えられる。
【００４３】
次に、本実施形態の監視制御装置１００における画面の切り替え処理について説明する。図７は、本実施形態の監視制御装置１００における上述した処理の手順を示すフローチャートである。
【００４４】
まず、操作受付部２０４が、入力デバイス１０２を介して、画面の切り替え操作を受け付ける（ステップＳ７０１）。
【００４５】
表示処理部２０７は、切り替え操作に対応する画面（以下、現在画面とも称す）を表示する（ステップＳ７０２）。次に、切替画面蓄積部２０８は、表示処理部２０７により表示された現在画面を識別する画面識別情報を、当該現在画面が表示された時刻と対応付けて、表示画面履歴データベース２５３に蓄積する（ステップＳ７０３）。
【００４６】
候補画面抽出部２０５は、表示画面履歴データベース２５３を参照して、過去に、現在画面の次に表示された画面を表す画面識別情報を、当該現在画面の後に表示された回数と共に抽出する（ステップＳ７０４）。
【００４７】
判定部２０６が、表示された回数が多い順に、抽出された画面識別情報を、画面切り替え先の候補として特定する（ステップＳ７０５）。
【００４８】
次に、表示処理部２０７は、ディスプレイ装置１０１の表示領域内の所定の欄に、判定部２０６によって特定された画面識別情報を、選択可能に表示する（ステップＳ７０６）。なお、本実施形態では、表示領域の下欄に表示するが、当該下欄に表示することに制限するものではなく、上、右、又は左欄であっても良いし、当該欄をポップアップ表示しても良い。本実施形態では、表示される画面識別情報を、画面を表す名称を例とするが、サンプル画面や、アイコン等であっても良い。
【００４９】
そして、操作受付部２０４は、入力デバイス１０２を介して、画面に表示されたボタン、又は下欄に表示された画面識別情報から、画面の切り替え操作を受け付けたか否かを判定する（ステップＳ７０７）。切り替え操作を受け付けた場合（ステップＳ７０７：Ｙｅｓ）、ステップＳ７０２から処理を行う。一方、切り替え操作を受け付けなかった場合（ステップＳ７０７：Ｎｏ）、他の処理が行われるものとして、画面の切り替え処理を終了する。
【００５０】
次に、本実施形態の監視制御装置１００における、監視・制御対象設備１５０で状況の変化が生じた場合における、画面識別情報の候補の表示処理について説明する。図８は、本実施形態の監視制御装置１００における上述した処理の手順を示すフローチャートである。
【００５１】
取得部２０１は、コントローラ１５１から出力された監視・制御対象設備１５０に関する状況情報を取得する（ステップＳ８０１）。
【００５２】
表示処理部２０７は、取得した状況情報で示される状況に対応する画面（例えばアラート画面）を表示する（ステップＳ８０２）。
【００５３】
次に、過去時刻抽出部２０２は、状況情報と対応付けられている過去の時刻を、動作・警報履歴データベース２５１から抽出する（ステップＳ８０３）。
【００５４】
候補画面抽出部２０５は、抽出された過去の時刻の後に表示された画面を示す画面識別情報と共に、当該状況が生じた場合に当該画面が表示された回数を抽出する（ステップＳ８０４）。
【００５５】
判定部２０６は、表示された回数が多い順に、画面切り替え先の候補となる画面識別情報を特定する（ステップＳ８０５）。
【００５６】
次に、表示処理部２０７は、ディスプレイ装置１０１の表示領域内の所定の欄に、判定部２０６によって特定された画面識別情報を、選択可能に表示する（ステップＳ８０６）。
【００５７】
本実施形態においては、画面が切り替えられた場合及び監視・制御対象設備１５０の現在の状況を取得した場合に、過去に表示されたことが多い画面情報を、画面切り替え先候補として表示することした。これにより、オペレータは、当該状況に適切な画面への切り替えを行うことが容易になる。
【００５８】
（第２の実施形態）
第１の実施形態においては、状況情報を取得した場合に、当該状況情報と対応付けられた過去の時刻を抽出し、当該過去の時刻の後に切り替えられた画面情報を、切り替え候補として表示する例について説明した。しかしながら、過去の時刻の後に切り替えられた画面情報の場合、他の画面に遷移するためのメニュー画面など、当該状況に対応する画面まで遷移する途中の画面である可能性がある。そこで、第２の実施形態では、メニュー画面等の中間操作の画面を除いた上で、切り替え候補となる画面を提示する例について説明する。なお、監視制御装置１００の構成は、第１の実施形態と同様として説明を省略する。
【００５９】
図９は、第２の実施形態の監視制御装置１００が表示可能な画面の遷移を例示した図である。図９に示される例では、メニュー画面９０１が表示された場合に、ボタンの押下等の操作を行うことで、第１のグループ画面９１１、第２のグループ画面９１２、又はプロセスフローメニュー画面９１３に遷移することができる。メニュー画面９０１は、最上位のメニュー画面であって、カテゴリを選択するためのメニュー画面とする。第１のグループ画面９１１、第２のグループ画面９１２、及びプロセスフローメニュー画面９１３は、カテゴリ毎に設けられたメニュー画面であって、カテゴリ毎の詳細な監視や制御を行うポイント画面やプロセスフロー画面を選択するためのメニュー画面とする。
【００６０】
さらに、第１のグループ画面９１１が表示された場合に、ボタンの押下等の操作を行うことで、第１のポイント画面９２１、又は第２のポイント画面９２２に遷移することができる。同様に、プロセスフローメニュー画面９１３が表示された場合に、ボタンの押下等の操作を行うことで、第１のプロセスフロー画面９２３、又は第２のプロセスフロー画面９２４に遷移することができる。
【００６１】
そして、第２の実施形態の監視制御装置１００においては、切り替え先の候補として、メニュー画面９０１や第１のグループ画面９１１等のメニュー画面（中間操作の画面）を表示せず、ポイント画面やプロセスフロー画面、換言すれば、監視・制御対象設備１５０の監視や制御を行うための画面群９５０を表示する。
【００６２】
次に、本実施形態の監視制御装置１００における、監視・制御対象設備１５０で状況の変化が生じた場合における、画面識別情報の候補の表示処理について説明する。図１０は、本実施形態の監視制御装置１００における上述した処理の手順を示すフローチャートである。
【００６３】
まずは、図８のステップＳ８０１〜Ｓ８０４までと同様に、画面識別情報と共に、表示された回数を抽出する（ステップＳ１００１〜ステップＳ１００４）。
【００６４】
そして、候補画面抽出部２０５は、抽出された画面識別情報に、メニュー画面やグループ画面等の中間操作の画面が含まれていたか否かを判定する（ステップＳ１００５）。含まれていないと判定した場合（ステップＳ１００５：Ｎｏ）、ステップＳ１００７に遷移する。
【００６５】
一方、候補画面抽出部２０５は、抽出された画面識別情報に、メニュー画面やグループ画面等の中間操作の画面が含まれていたと判定した場合（ステップＳ１００５：Ｙｅｓ）、抽出された画面識別情報と対応付けられていた時刻に基づいて、メニュー画面やグループ画面の後に表示されたポイント画面又はプロセスフロー画面を示す画面識別情報を抽出すると共に、当該画面識別情報が表示された回数を抽出する（ステップＳ１００６）。
【００６６】
その後は、図８のステップＳ８０５〜Ｓ８０６と同様の手順で、判定部２０６によって特定された画面識別情報を、選択可能に表示する（ステップＳ１００７〜Ｓ１００８）。
【００６７】
本実施形態においては、メニュー画面やグループ画面などの中間操作の画面を、切り替え先の候補から除くことで、オペレータに対して、現在の状況により適切な画面への切り替えを促すことができる。
【００６８】
第１及び第２の実施形態においては、過去に行われた画面切り替え操作を逐次蓄積するとともに、監視・操作する画面の切り替え操作が必要な場合に、切り替え先の画面を候補として提示することとした。上述した実施形態においては、過去に行われた画面の切り替え操作を逐次蓄積していくことで、熟練オペレータが行った画面の切り替えに関する学習を続けていくことを意味する。これにより、現在と同じ状況において、熟練オペレータが過去に行った画面の切り替えを参考にした、画面の切り替え操作を行うことができる。
【００６９】
また、第１及び第２の実施形態においては、オペレータが行った操作を常に蓄積していくことで、マクロの登録等の操作を行うことなく、操作のノウハウを蓄積できるので、操作負担を軽減させることができる。さらに、時間が経過するほど操作のノウハウを蓄積できるため、時間が経過するほど、より高い精度で適切な画面識別情報を提示することができる。
【００７０】
さらには、第１及び第２の実施形態においては、提示された画面識別情報を選択することで、所望する画面に切り替えることができる。換言すれば、複数の画面を遷移する必要が無いので、迅速に目的の画面を表示することができる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１００…監視制御装置、１０１…ディスプレイ装置、１０２…入力デバイス、１５０…監視・制御対象設備、１５１…コントローラ、２０１…取得部、２０２…過去時刻抽出部、２０３…動作・警報蓄積部、２０４…操作受付部、２０５…候補画面抽出部、２０６…判定部、２０７…表示処理部、２０８…切替画面蓄積部、２５１…動作・警報履歴データベース（第２の記憶部）、２５２…画面情報記憶部、２５３…表示画面履歴データベース（第１の記憶部）。
【図１】
2018088099.tif 000003
【図２】
2018088099.tif 000004
【図３】
2018088099.tif 000005
【図４】
2018088099.tif 000006
【図５】
2018088099.tif 000007
【図６】
2018088099.tif 000008
【図７】
2018088099.tif 000009
【図８】
2018088099.tif 000010
【図９】
2018088099.tif 000011
【図１０】
2018088099.tif 000012